(57)【要約】【課題】  良好な反射効果を保持するコーンバーを提供する。【解決手段】  内筒２は一端２１に係止リング２２が固着し、係止リング２２にパイプ先端２２０及びリング先端２２１が設けられ、パイプ先端２２０の孔２２００を内筒の一端２１に被せる。内筒のもう一端２３にストッパーリング２４が固着し、ストッパーリング２４に細いリング部２４０及び太いリング部２４１が設けられ、細いリング部２４０を内筒のもう一端２３の穴２３０の中に入れる。外筒３は一端３１に係止リング３２が固着し、係止リング３２にパイプ先端３２０及びリング先端３２１が設けられ、パイプ先端３２０の孔３２００を外筒の一端３１に被せる。外筒のもう一端３３にストッパーリング３４が固着し、ストッパーリング３４に細いリング部３４０及び太いリング部３４１が設けられ、太いリング部３４１を外筒３のもう一端３３に被せる。【選択図】    図４
2006336276.tif 000002
【特許請求の範囲】
【請求項１】
コーンバーにおいて、
内筒（２）があり、内筒（２）の外面に反射材が貼ってあり、内筒の一端（２１）に係止リング（２２）が固着してあり、係止リング（２２）にパイプ先端（２２０）及びリング先端（２２１）が設けられ、パイプ先端（２２０）にある孔（２２００）を前記内筒の一端（２１）に被せてからねじ（２２１１）で締めることが可能であり、内筒（２）のもう一端（２３）にストッパーリング（２４）が固着してあり、内筒（２）のストッパーリング（２４）に細いリング部（２４０）及び太いリング部（２４１）が設けてあるため、細いリング部（２４０）を内筒（２）のもう一端（２３）にある穴（２３０）の中に入れることが可能であり、
外筒（３）があり、外筒の表面に反射材が貼ってあり、外筒（３）の一端（３１）に係止リング（３２）が固着してあり、係止リング（３２）にパイプ先端（３２０）及びリング先端（３２１）が設けられ、パイプ先端（３２０）にある孔（３２００）を前記外筒の一端（３１）に被せてからねじ（３２１１）で締めることが可能であり、外筒（３）のもう一端（３３）にストッパーリング（３４）が固着してあり、外筒（３）のストッパーリング（３４）に細いリング部（３４０）及び太いリング部（３４１）が設けてあるため、太いリング部（３４１）を外筒（３）のもう一端（３３）に被せることが可能であることを特徴とするコーンバー。
【発明の詳細な説明】
【技術分野】
【０００１】
本発明は、コーンバーに関し、特に、内外筒が互いに被せ合って、また、内外筒の端に設けたストッパーリングと支持リングを利用して、内外筒の伸縮操作に渡って内筒の表面にある反射材に摩擦による擦り傷が発生せず、且外筒の反射材の地面との接触による擦り傷も防止できるため、良好な反射効果を保持するコーンバーを指すものである。
【背景技術】
【０００２】
目下のコーンバー（図１及び３に示すように）は内筒１０と外筒１１が互いに被せ合うようになるものであり、また、内外筒の外側に設けられた係止リング１００及び係止リング１１０を隣になる二つのコーンに嵌めて安全標示の機能を達するものである。この種のコーンバーは、内外筒からなり、また、内外筒は伸縮できるように造られているため、収納及び運搬に便利になり、また、使用する場合、伸長させて両コーンの間によりよい長さを提供するには、内外筒の内側にストッパーリング１０１とストッパーリング１１１を設ける必要があり、ストッパーリング１０１とストッパーリング１１１については、図１及び図２のような二種類があり、図１では内筒の外周に極めて細いストッパーリング１０１が設けてあり、外筒の内周にもう一つのストッパーリング１１１が固着しているため、二つのストッパーリング１０１とストッパーリング１１１が互いに寄りかかると、内外筒が最大の長さまで延ばされた時に抜け出ることを防止できるのである。このようなストッパーリングを固着したものは、ストッパーリングが円弧状になれるのが長所であるため、内外筒を互いに伸ばしたり、縮めたりする時、ストッパーリングが内筒の表面にある反射材１０２に摩擦による擦り傷をもたらさずに済むが、その短所と言えば、ストッパーリング１０１とストッパーリング１１１には内外筒の抜落を防止する機能しかなく、その二つの面積が大きくないため、内外筒が所定の長さまで伸びたら、内外筒の末端を支えるには何の支持もなく、図１のように中央部が垂れる状態になる。また、外筒の表面の内側部１０３の表面は地面との間に何も貼っていないため、図１のような従来知られたものは、地面に置かれた場合、外筒の一部の面積が地面と接触し、地面が外筒の表面にある反射材に対して擦り傷をもたらして、バー本体として必要になる夜間反射との安全設計に影響を及ぼす。
【０００３】
図２に示すのは、もう一種類の従来知られたものであり、内筒１３と外筒１４においては、内筒の内側を別途に喇叭口状に加工し、外筒を内側へ縮合してから、内外筒を互いに被せ合わせ、また、内筒の喇叭口状部１３０と外筒の縮合口１４０とのぶつかり合いにより、内外筒が最大の長さまでいっぱい伸びても抜け出ないが、唯図２のような従来知られたものは、その短所と言えば、外筒１４の縮合口部がパイプの前壁１４１からの延長であり、該前壁１４１が尖った状態を呈しているため、内外筒を伸縮させる場合、内筒の表面にある反射材１４２に対して摩擦を起こして擦り傷が生じ、反射材の反射効果に影響を与える。次に、外筒の表面の中央部１４３には何の支えもないため、図２は図３のように地面に置く場合、地面Ｌが外筒の表面にある反射材１４２に対して摩擦による擦り傷をもたらし、反射効果に影響を与える。更に、内外筒においてそのまま口を広げたり、口を縮めたりする加工を施したら、加工し難く、時間もかかることになり、バーの加工及び生産速度に影響を与える。
【発明の開示】
【発明が解決しようとする課題】
【０００４】
そこで、本発明の発明者は、長年に渡り、関係する製品への設計及び加工製造から積み重ねた経験を以って前記の従来知られたものの短所について研究を加えて、本発明を考え出した。それは、本発明の創作動機である。
【０００５】
本発明のコーンバーは、その発明の目的と言えば、一種の加工の速度が速くなり、且反射材の摩擦による不当な擦り傷が反射効果に影響を与えることを防止できるコーンバーを提供する。
【課題を解決するための手段】
【０００６】
本発明のコーンバーは、内外筒が互いに被せ合ってなり、その中においては、内外筒の一端に其々ストッパーリングを設けて、その二つのストッパーリングは皆凸の字形になり、また、内筒に固着したストッパーリングは内筒を入れるための内周であり、外筒に固着したストッパーリングは外筒に被せるための外周であるため、内外筒のストッパーリングが互いにぶつかり合うことにより、内外筒を伸縮させる時の安定性を維持できる。
【０００７】
本発明のコーンバーにおいて、内筒のストッパーリングの太いリングの外周が外筒の内周と釣り合いが取れ、また、外筒のストッパーリングの細いリングの内周が内筒の外周と釣り合いが取れるため、内外筒を最長状態に伸ばしても、バーの中央部は絶対垂れないように前記内筒のストッパーリングと外筒のストッパーリングとを中央部の支えとして利用できる。
【発明を実施するための最良の形態】
【０００８】
したがって、本発明を理解するために、別添の図面を以って次のように説明する。
図４に示すように、本発明の一実施例によるコーンバーは、内筒２があり、内筒２の外面に反射材２０が貼ってあり、反射材２０には赤またはオレンジなどのより目立つ色があり、また、内筒の一端２１に係止リング２２が固着してあり、係止リング２２にパイプ先端２２０及びリング先端２２１が設けてあり、パイプ先端２２０の孔２２０を前記内筒の一端２１に被せてねじ２２１１で締めると、係止リング２２を前記内筒２の一端２１と完全に固定でき、本バーをリング先端２２１で両のコーン４の間（図７に示すよう）に掛けることができる。次に、内筒２のもう一端２３にストッパーリング２４が設けてあり、内筒２のストッパーリング２４が凸の字形になり、また、ストッパーリング２４には細いリング２４０と太いリング２４１が設けてあり、細いリング２４０を内筒２のもう一端２３の穴２３０の中に入れることができる。
【０００９】
外筒３があり、外筒３の外面に前記内筒２の表面と同じく反射材３０が貼ってあり、反射材３０には赤またはオレンジなどのより目立つ色があり、また、外筒３の一端３１に係止リング３２が固着してあり、係止リング３２にパイプ先端３２０及びリング先端３２１が設けてあり、パイプ先端３２０の孔３２００を前記外筒の一端３１に被せてねじ３２１１で締めると、係止リング３２を前記外筒３の一端３１と完全に固定でき、本バーをリング先端３２１で両コーン４に（図７、図８及び図９に示すよう）掛けることができる。次に、外筒３のもう一端３３にストッパーリング３４が設けてあり、外筒３のストッパーリング３４が凸の字形になり、また、ストッパーリング３４には細いリング３４０と太いリング３４１が設けてあり、太いリング３４１を外筒３のもう一端３３の外側に被せることができる（図４、図５及び図６に示す）。
【００１０】
そこで、前記内筒２と外筒３を組み合わせる場合、内筒２と外筒３にある各自のストッパーリング２４とストッパーリング３４を先に組み合わせておき、また、内筒２の一端２１を外筒３の一端３１から外筒の中穴３１０の中に挿入し（図５及び図６に示すように）、また、内筒２を外筒３から伸び出させて内筒２と外筒３の露出した一端２１と一端３１にある其々の係止リング２２と係止リング３２で固定すると、本実施例のコーンバーの組合せを完成できる。したがって、前記内筒２が前記外筒３の中穴３１０で伸縮運動をしている時、内筒２のストッパーリング２４の太いリング２４１の外周が前記外筒３の中穴３１０の内周と釣り合いが取れ、また、内筒２の外周が前記外筒３のストッパーリング３４の細いリング３４０の内周と釣り合いが取れ、また、前記ストッパーリング２４の太いリング２４１とストッパーリング３４の細いリング３４０とは其々適当な長さを有するため、内筒２と外筒３が互いに被せ合い、前記ストッパーリング２４の太いリング２４１とストッパーリング３４の細いリング３４０とを其々外筒３の中穴の内周及び内筒２の外周に当たらせると（図６に示すように）、内筒２が外へ最大の長さまで伸びても、バーの中央部が垂れる状態がなくなる。また、前記ストッパーリング２４の太いリング２４１の外周が内筒２の外周より大きく、前記ストッパーリング３４の太いリング３４１の外周が外筒３の外周より大きいため、たとえ本実施例のコーンバーを地面に置いても、地面と接触したり、反射材が傷付いたりする問題が発生しないのである。また、前記外筒３のストッパーリング３４と内筒２の表面との接触部３４２も円弧状に作られているため、内筒２と外筒３が伸縮しても、全く反射材が傷付くことがないため、本実施例は極めて実用価値のあるものになる。
【図面の簡単な説明】
【００１１】
【図１】従来のコーンバーの一部を示す断面図である。
【図２】従来の他のコーンバーの一部を示す断面図である。
【図３】従来の他のコーンバーの地面に置いた状態を示す模式図である。
【図４】本発明の一実施例によるコーンバーを示す分解斜視図である。
【図５】本発明の一実施例によるコーンバーの一部を示す断面図である。
【図６】図５のＡの部分を拡大した断面図である。
【図７】本発明の一実施例によるコーンバーの応用可能な例を示す斜視図である。
【図８】本発明の一実施例によるコーンバーの応用可能な例を示す斜視図である。
【図９】本発明の一実施例によるコーンバーの応用可能な例を示す斜視図である。
【符号の説明】
【００１２】
２  内筒、３  外筒、４  コーン、２０  反射材、２１  内筒の一端、２２  係止リング、２３  内筒のもう一端、２４  ストッパーリング、３１  外筒の一端、３２  係止リング、３３  外筒のもう一端、３４  ストッパーリング、２２０  パイプ先端、２２１  リング先端、２３０  穴、２４０  細いリング部、２４１  太いリング部、３１０  中穴、３２０  パイプ先端、３２１  リング先端、３４０  細いリング部、３４１  太いリング部、２２００  孔、２２１１  ねじ、３２００  孔、３２１１  ねじ
【図１】
2006336276.tif 000003
【図２】
2006336276.tif 000004
【図３】
2006336276.tif 000005
【図４】
2006336276.tif 000006
【図５】
2006336276.tif 000007
【図６】
2006336276.tif 000008
【図７】
2006336276.tif 000009
【図８】
2006336276.tif 000010
【図９】
2006336276.tif 000011